(57)【特許請求の範囲】
【請求項１】
基板と；
発光させるために前記基板上に配置された発光素子と；
前記発光素子の上方に且つこれに近接して配置された、前記発光素子が発する光を集めるための導波路と；
前記発光素子に近接する前記導波路の一部の周囲に配置された反射体と；
前記基板、前記導波路及び前記反射体の間の空間に配置された１又はそれ以上の光媒体と；
を具える光源であって、
前記導波路が、前記１又はそれ以上の光媒体の屈折率よりも高い屈折率を有しており、
前記導波路の端面が、前記発光素子の表面に直接的に接触するか、又は、前記発光素子の端面から４乃至１５０ミクロンの距離だけ離れて配置されており、
前記発光素子から放出され前記導波路に入射した光のうち、前記導波路の開口数の中に収まらない光が、前記導波路の外に漏れ出して前記反射体により反射光として反射し、前記反射光の一部が、前記発光素子の下方に形成された反射層及び／又は前記発光素子の粗面を反射面として、様々な角度で前記導波路に戻るよう反射又は散乱し、
前記導波路が、光ファイバのコア及びクラッドからなり、
前記反射体の高さＨが、Ｄを前記導波路の直径、θｃを前記光ファイバのクラッドでの全反射の臨界角とすると、
式  Ｈ＝Ｄ＊ｔａｎθｃ
によって決定されることを特徴とする光源。
【請求項２】
前記発光素子が、発光ダイオードであることを特徴とする請求項１に記載の光源。
【請求項３】
前記反射面が、前記発光素子の下方の前記基板上に形成された反射層であることを特徴とする請求項２に記載の光源。
【請求項４】
前記発光素子が、第１の波長の励起光を吸収して前記第１の波長よりも長い第２の波長の変換光を放出し得る波長変換材料であり、
前記基板が、前記励起光を透過して前記変換光を反射する干渉フィルタを前記波長変換材料の下方に有することを特徴とする請求項１に記載の光源。
【請求項５】
さらに、前記基板の前記反射体とは反対側に配置された前記励起光の光源を具えることを特徴とする請求項４に記載の光源。
【請求項６】
前記導波路及び前記発光素子が、それらの間に空隙を規定することを特徴とする請求項１に記載の光源。
【請求項７】
前記導波路が光ファイバのコアであり、前記１又はそれ以上の光媒体が前記光ファイバのクラッドを有することを特徴とする請求項１に記載の光源。
【請求項８】
前記１又はそれ以上の光媒体が、さらに、前記基板、前記導波路及び前記反射体の間の空間を満たし前記導波路のクラッドの屈折率にほぼ等しい屈折率を有する屈折率整合ゲルを有することを特徴とする請求項７に記載の光源。
【請求項９】
前記１又はそれ以上の光媒体が、前記基板、前記導波路及び前記反射体の間の空間を満たすゲルを有することを特徴とする請求項１に記載の光源。
【請求項１０】
前記光媒体が空気を含むことを特徴とする請求項１に記載の光源。
【請求項１１】
前記導波路が、前記発光素子の形状に整合する正方形の断面形状を有することを特徴とする請求項１に記載の光源。
【請求項１２】
前記反射体が、楕円体の一部の形状を有することを特徴とする請求項１に記載の光源。
【請求項１３】
前記導波路の中心軸を通る面での前記反射体の断面形状が、楕円の一部であり、
前記発光素子が、前記楕円の２つの焦点の間に配置されていることを特徴とする請求項１２に記載の光源。
【請求項１４】
さらに、前記反射体と前記基板との間に配置される、前記反射体を支持し前記１又はそれ以上の光媒体を収容するための支持構造を有することを特徴とする請求項１に記載の光源。
【請求項１５】
さらに、前記導波路が前記反射体を通り抜ける前記反射体の出力開口を超えて位置する前記導波路の出力端に配置された反射偏光子を有しており、
所望の偏光の光が前記反射偏光子を通して透過され、他の偏光の光が前記反射偏光子によって反射されることを特徴とする請求項１に記載の光源。
【請求項１６】
さらに、前記導波路の出力端において前記反射偏光子の前に配置された波長板を有することを特徴とする請求項１５に記載の光源。
【請求項１７】
基板上に配置された発光素子からの光を集めるための結合機器であって、
前記発光素子の上方に且つこれに近接して配置された、前記発光素子が発する光を集めるための導波路と；
前記発光素子に近接する前記導波路の一部の周囲に配置された反射体と；
前記導波路と前記反射体との間の空間に配置された１又はそれ以上の光媒体と；
を具えており、
前記導波路が、前記１又はそれ以上の光媒体の屈折率よりも高い屈折率を有しており、
前記導波路の端面が、前記発光素子の表面に直接的に接触するか、又は、前記発光素子の端面から４乃至１５０ミクロンの距離だけ離れて配置されており、
前記発光素子から放出され前記導波路に入射した光のうち、前記導波路の開口数の中に収まらない光が、前記導波路の外に漏れ出して前記反射体により反射光として反射し、前記反射光の一部が、前記発光素子の下方に形成された反射層及び／又は前記発光素子の粗面を反射面として、様々な角度で前記導波路に戻るよう反射又は散乱し、
前記反射体の高さＨが、Ｄを前記導波路の直径、θｃを前記光ファイバのクラッドでの全反射の臨界角とすると、
式  Ｈ＝Ｄ＊ｔａｎθｃ
によって決定されることを特徴とする結合機器。
【請求項１８】
基板上に配置された発光素子によって放出された光を導波路の中に結合するための方法であって、
前記発光素子によって放出された光を受けるために、前記導波路の端面を前記発光素子に近接するよう位置決めするステップと；
前記導波路の一部から漏出する光を前記導波路に反射させるために、前記発光素子に近接する前記導波路の一部の周囲に反射体を設けるステップと；
を具えており、
前記導波路の端面が、前記発光素子の表面に直接的に接触するか、又は、前記発光素子の端面から４乃至１５０ミクロンの距離だけ離れて配置されており、
前記発光素子から放出され前記導波路に入射した光のうち、前記導波路の開口数の中に収まらない光が、前記導波路の外に漏れ出して前記反射体により反射光として反射し、前記反射光の一部が、前記発光素子の下方に形成された反射層及び／又は前記発光素子の粗面を反射面として、様々な角度で前記導波路に戻るよう反射又は散乱し、
前記反射体の高さＨが、Ｄを前記導波路の直径、θｃを前記光ファイバのクラッドでの全反射の臨界角とすると、
式  Ｈ＝Ｄ＊ｔａｎθｃ
によって決定されることを特徴とする方法。
【請求項１９】
さらに、前記導波路の一部と前記反射体との間に光媒体を設けるステップを具えることを特徴とする請求項１８に記載の方法。
【請求項２０】
前記導波路の端面が前記発光素子に近接して設けられており、それらの間に空隙を有することを特徴とする請求項１８に記載の方法。
【請求項２１】
さらに、所望の偏光の光を透過させ他の偏光の光を反射させるために、前記導波路の出力端に反射偏光子を設けるステップを具えることを特徴とする請求項１８に記載の方法。
【請求項２２】
前記反射体が、略円筒形の前記導波路の中心軸を中心とする回転対称を具えた楕円体の一部をなす形状を有しており、前記楕円体の焦点が、前記導波路の外面が前記発光素子の表面に接触し又は近接する前記導波路の２つの位置に対応する２つの点であることを特徴とする請求項１に記載の光源。
【発明の詳細な説明】
【技術分野】
【０００１】
本発明は、光源に関し、特に半導体発光素子を用いた光源に関する。
【背景技術】
【０００２】
［関連技術の説明］
発光ダイオード（ＬＥＤ）といった半導体の光源は、高圧水銀ランプ、キセノンランプ又はメタルハライドランプといった従来の光源と比較して、長い寿命、低電力消費、管理できる波長及び他の利点を呈する。これらの半導体光源は、背面投射型テレビ（ＲＰＴＶ）又は前面投写型といった画像投影、自動車、バイク、ボート及び航空機等輸送車両用のヘッドライト又はイルミネーションライト含む、様々な適用例に対する光源の代用品又は好適な選択肢に益々なっている。光源に対する１つの要件は、同時に高輝度及び高出力を提供することである。
【０００３】
多くの適用例において、ＬＥＤといった発光素子によって照射される光が、導波路又は光ファイバの中に結合され、発光素子から離れた場所に伝送される。光源の輝度及び出力は、多くの場合、ＬＥＤといった発光素子からの光が導波路又は光ファイバの中に入る光結合の効率に制約される。ある従来の素子では、図１に示すように、ＬＥＤチップ１２からの光が、ファイバの端面をＬＥＤの上部に直接的に置くことにとって、ファイバ１４の中に結合される。一般に、ＬＥＤは全方向に発光する。図１に示す結合構造を用いると、ファイバの開口数の外側の角度で照射されたＬＥＤ光が恒久的に失われる。このため、例えば、ファイバの開口数（ＮＡ）が約０．５である場合、結合効率は約２５％（ＮＡ２）になるであろう。
【発明の概要】
【０００４】
本発明は、関連技術の制約及び欠点による１又はそれ以上の問題を実質的に除去する光源を扱う。
【０００５】
本発明の目的は、出力輝度が増大した光源を提供することである。
【０００６】
本発明の別の目的は、発行素子からの光を集めて光の結合効率を高めるための結合器具及び方法を提供することである。
【０００７】
本発明のさらなる態様及び利点は、以下の本明細書で説明されており、本明細書から部分的に明らかとなり、又は本発明の実施によって習得できるであろう。本発明の目的及び利点は、添付の図面とともに記載された明細書及びその特許請求の範囲に特に挙げられた構造によって、理解され達成されるであろう。
【０００８】
本発明の目的とともにこれら及び他の利点を実現するために、実施され広く記載されているように、本発明は、基板と；発光させるために基板上に配置された発光素子と；発光素子の上方に且つこれに近接して配置された、発光素子が発する光を集めるための導波路と；発光素子に近接する導波路の一部の周囲に配置された反射体と；基板、導波路及び反射体の間の空間に配置された１又はそれ以上の光媒体と；を有し、導波路が、１又はそれ以上の光媒体の屈折率よりも高い屈折率を有する光源を提供する。
【０００９】
別の態様では、本発明は、発光素子からの光を集めるための結合機器であって、発光素子の上方に且つこれに近接して配置された、発光素子が発する光を集めるための導波路と；発光素子に近接する導波路の一部の周囲に配置された反射体と；導波路と反射体との間の空間に配置された１又はそれ以上の光媒体と；を有し、導波路が、１又はそれ以上の光媒体の屈折率よりも高い屈折率を有する結合機器を提供する。
【００１０】
さらに別の態様では、本発明は、発光素子によって放出された光を導波路の中に結合するための方法であって、発光素子によって放出された光を受光するために、導波路の端面を発光素子に近接するよう位置決めするステップと；導波路の一部から漏出する光を導波路に反射させるために、発光素子に近接する導波路の一部の周囲に反射体を設けるステップと；有する方法を提供する。
【００１１】
上記の全般的な説明及び以下の詳細な説明はいずれも典型的且つ具体的であって、特許請求の範囲に記載された本発明のさらなる説明を与えることを意図することに留意されたい。
【図面の簡単な説明】
【００１２】
【図１】図１は、発光素子によって照射される光がファイバの中に直接的に結合される光源の従来技術を示す。
【図２ａ】図２ａは、本発明の第１の実施例に係る発光素子からの光を導波路の中に結合するための反射結合素子を採用する光源を示す。
【図２ｂ】図２ｂは、本発明の第１の実施例に係る発光素子からの光を導波路の中に結合するための反射結合素子を採用する光源を示す。
【図３】図３ａ及び３ｂは、本発明の第２の実施例に係る発光素子からの光を導波路の中に結合するための反射結合素子を採用する光源を示す。
【図４】図４は、本発明の第３の実施例に係る発光素子からの光を導波路の中に結合するための反射結合素子を採用する光源を示す。
【図５】図５は、本発明の第４の実施例に係る発光素子からの光を導波路の中に光を結合するための光結合素子を採用する光源を示す。
【図６】図６は、本発明の第５の実施例に係る発光素子からの光を導波路の中に光を結合するための光結合素子を採用する光源を示す。
【発明を実施するための形態】
【００１３】
本発明の実施例は、発光素子によって照射された光が光学的導波路の中に結合される光源を提供する。それは、導波路の開口数の範囲に収まらない発光素子からの光を発光素子に戻して再利用するのを補助することで結合効率を増加させて光源の出力輝度を高める、高反射の結合器（反射体）を提供する。発光素子は、発光ダイオード（ＬＥＤ）、レーザダイオード、又は他の固体の発光素子とすることが可能である。また、発光素子は、短波長を長波長に変換する蛍光体といった波長変換材料、又は発光する他の適切なデバイスとすることが可能である。図２ａ乃至５に示すような実施例において、一例としてＬＥＤを使用する。
【００１４】
図２ａ及び図２ｂに示す本発明の第１の実施例では、ＬＥＤチップ１２が基板１１に取り付けられている。（例えば、ＬＥＤによって放出される光の５０％又はそれ以上の反射率を有する）高反射率層１１ａを、ＬＥＤの活性領域の下部に設けることができる。高反射率層１１ａを金属コーティングで形成できる。代替的に、又は付加的に、ＬＥＤ１２の表面を粗面として光を反射または散乱させ得る。光ファイバ１４が、ファイバの端面がＬＥＤの表面に接するよう直接的に、又は以下で詳細に説明するように空隙を介してＬＥＤ１２の上に設けられている。湾曲した、高反射面を具えた反射体１６が、ＬＥＤ１２及びＬＥＤに近接するファイバ１４の一部を囲んでいる。ゲルといった光媒体１８が、反射体１６、ファイバ１４及び基板１１によって囲まれた空間に充填されている。好適には、光媒体１８は、ファイバクラッド１４ａの屈折率にほぼ等しい屈折率を有する屈折率整合材であり、ファイバクラッド１４ａの屈折率はファイバコアの屈折率よりも低い。屈折率整合材の一例は屈折率整合ゲルである。図２ｂは、ＬＥＤ１２（部分的に示す）、ファイバ１４及び反射体１６を示す光源の平断面図である。
【００１５】
ファイバ１４の中心軸を通る面の断面図である図２ａに示すように、ＬＥＤ１２によって放出されるファイバ１４の開口数の中に収まる角度を有する光が、ファイバの中に結合され、ファイバクラッド１４ａによる全反射を介してファイバに沿って進む。ＬＥＤ１２によって放出されるファイバ１４の開口数の中に収まらない光は、ファイバの外に漏れ出して反射体１６によって反射して戻され、ファイバ１４に再び入る。反射光はＬＥＤ１２を進み、その大部分はＬＥＤの下方の反射層１１ａ及び／又はＬＥＤの粗面によって、様々な角度でファイバ１４に戻るよう反射又は散乱する。ファイバ１４の開口数の範囲に収まる角度を有する反射光がファイバの中に結合される一方で、ファイバの開口数の範囲に収まらない反射光がファイバの外に漏れ出して反射体１６によって戻されるよう再び反射する。反射プロセスは何回生じてもよい。このため、反射体１６を使用することによって、そうでなければファイバ１４の外に漏れ出すであろうＬＥＤ１２によって放出された光をファイバの中に結合することができ、これにより、ファイバの中に入る光の結合効率全体を高める。結果として、ファイバ１４の出力端での光の輝度が増加する。
【００１６】
好適な実施例では、反射体１６が、ファイバ１４の中心軸を中心とする回転対称を具えた楕円の一部の形状を有している。図２ａに示す側断面図では、反射体１６は、ファイバ１４のコアの外径がＬＥＤ１２に交わる２つの点に位置する２つの焦点を有する楕円の一部である。換言すれば、ＬＥＤ１２の有効領域が、楕円の焦点間に位置する。楕円形の反射体又は楕円に近い反射体は、ファイバの外に漏れ出る光をファイバに向けて効率的に反射させ得る。また、球といった他の形状も、結合効率を多少下げる可能性があるものの、このような目的を満足させることができる。好適には、基板から測られる反射体１６の高さ、すなわち、ファイバ１４が反射体を通り抜ける場所での高さは、ファイバ１４から漏れ出るＬＥＤ１２からの全ての光が反射体によって反射するような高さである。このため、反射体１６の最適な高さは、Ｄをファイバの直径とし、θｃをクラッドファイバでの全反射の臨界角とすると、
Ｈ＝Ｄ＊ｔａｎθｃ                （１）
となる。θｃは、ｎ１をファイバのコアの屈折率、ｎ２をクラッドファイバの屈折率とすると、
θｃ＝ｓｉｎ−１（ｎ２／ｎ１）        （２）
によって決まる。反射体１６の高さがＨ未満の場合、反射体の上方でファイバの外に漏れ出す光があり、反射体によって反射せず、光の結合効率が下がることになるであろう。反射体１６の高さがＨよりも大きいと結合効率に悪影響を及ぼさないが、結合装置素子の全体大きさを不必要に増加させてしまう。
【００１７】
ある特定の実施例では、光ファイバは、直径１ｍｍのＰＭＭＡファイバといったプラスチックファイバである。そのコアは、１．５の屈折率を有し、クラッドが１．４１の屈折率を有しており、約０．５の開口数及び約２０度（θｃ＝７０度）の受容角を与える。反射体１６の最適な高さＨは、本実施例では約２．７５ｍｍである。
【００１８】
図３ａ（側断面図）及び３ｂ（平断面図）は、本発明の第２の実施例を示しており、この実施例は、光ファイバ１４がクラッドを有しない導波路１４’に置き換わっていることを除いて、構造及び機能が第１の実施例と同じである。図３ａ及び３ｂに示す本実施例では、導波路１４’がＬＥＤ１２の形状に整合する正方形の形状を有し、ＬＥＤよりもわずかに大きいが、導波路を他の形状及び大きさとすることができる。第１の実施例のように、ゲルといった光媒体１８が、反射体１６、導波路１４’及び基板１１に囲まれた空間に充填されている。光媒体１８は、導波路１４’の屈折率よりも低い屈折率を有する。反射体１６の上方の導波路１４’の部分では、導波路と空気との境界で全反射が生じる。反射体１６によって囲まれた導波路１４’の部分では、ＬＥＤ１２からの光が導波路から光媒体１８の中に漏れ出して反射体１６で反射する。ＬＥＤ１２からの光が反射体１６の上方の部分で導波路１４’の外に漏れ出さないことを確実にするために、反射体１６の最適な高さが、Ｄがここでは正方形の導波路の対角幅を表し、反射体１６の上方の導波路１４’の周りにクラッドが無いためＮ２＝１であることを除いて、第１の実施例と同じ式（１）及び（２）によって決定される。
【００１９】
特に、本発明の実施例に係る光源は、導波路及び導波路と反射体との間に設けられた１又はそれ以上の光媒体を有している。導波路は、光ファイバのコアとすることが可能である。光媒体は、光ファイバのクラッド、導波路と反射体との間の空間に充填された光媒体、又はそれら双方とすることが可能である。導波路の屈折率は光媒体の屈折率よりも高い。導波路及び光媒体の屈折率を、所望の全反射角度になるよう調整できる。光ファイバは、光媒体をその周りに具えた導波路の一例である。導波路の別の例は、クラッドの無いガラス棒である。また、導波路と反射体との間の空間を空にすることができ、このようなケースでは、光媒体は空気又は真空となる。
【００２０】
図２ａ及び３ａに示す実施例では、導波路１４又は１４’が、ＬＥＤ１２の上部に直接的に配置され、導波路の端面がＬＥＤに接触する。代替的に、より好適には、小さな空隙を、ＬＥＤ１２と導波路１４又は１４’の端面との間に設ける。空隙の大きさは十分に小さく、相当量の光が隙間から漏れ出ない。４乃至１５０ミクロンの間の大きさが適している。空隙を、ＬＥＤ１２と導波路１４又は１４’の間にスペーサを配置することによって実現できる。一実施例では、薄いカバーガラスがＬＥＤを覆い、ＬＥＤとガラスとの間に小さな空隙を残す。ＬＥＤ１２と導波路１４又は１４’との間に空隙を設けることの利点は、ＬＥＤからの光が、導波路の内部を進む光の角度がその中心軸に対する最大角度よりも小さくなるように、空隙から導波路に入ると屈折することである。例えば、導波路の屈折率が１．５の場合、最大角度は約４２度である。
【００２１】
図２ａ及び図３ａに示す実施例では、楕円形の反射体１６が基板１１の表面に延在している。代替的に、図４に示すように、反射体は端を切った楕円形状を有し得る。図４に示す反射体１６’は、図２ａに示す反射体１６と同じ高さを有しているが、基板の表面に向けて延在していない。どちらかといえば、反射体１６’と基板１１との間に支持構造１６ａが設けられており、光媒体１８を保持するよう筐体を形成するとともに、反射体を支持する。図４に示す支持構造１６ａは円筒形を有しているが、円錐形等といった他の形状も使用できる。図４の実施例の他の部分は、図２ａのそれと同じである。端を切った反射体１６’は、導波路１４の内部を進む光が特定の値よりも大きい角度を有しない場合に、有用である。前に指摘したように、空隙がＬＥＤ１２と導波路１４との間に設けられている場合、導波路の内部を進む光の角度は約４２度未満である。このため、ファイバ１４から漏れる光を最大４２度の角度で反射する端を切った反射体１６’は、このような適用例で適している。図２ａ及び図３ａに示す完全な反射体１６と比較して、図４に示す反射体１６’は製造するのが簡単であり、さらに、反射体の横方向サイズを減らす。
【００２２】
反射体１６又は１６’を、予形成されたシェルの面の内側にコーティングするアルミニウム又は銀といった高反射率のコーティングを形成することによって製造し得る。図２ａ及び図３ａに示す光源を組み立てるために、反射体１６が、導波路１４又は１４’の周りの基板１１の上方に配置されており、ゲルの形式の光媒体１８が、反射体、基板及び導波路の間の空間に充填されている。適切な粘度を具えるため、ＬＥＤと導波路との間の空隙の中に浸透せずに、ゲルはこの空間を満たし得る。任意に、ガラスシリンダを導波路の周りに設けて、導波路がプラスチックファイバといった熱に弱い材料で作製される場合、導波路の過熱及び溶解を防止することができる。図４に示す光源を、支持構造１６ａを使用することによって同じように組み立てて、ゲル１８を保持することができる。代替的に、反射体１６又は１６’を、光材料の固体片の湾曲した外面に高反射率のコーティングを形成することによって製造し得る。導波路を配置する中央穴を有する光材料の固体片は、反射体と導波路との間の空間を満たす光媒体１８として機能する。
【００２３】
図５は、本発明の別の実施例を示しており、高輝度の偏光を導波路の中に結合し得る。このような実施例は、反射偏光子２２及び（任意の）４分の１波長板２４が追加されていることを除いて、図２ａに示す第１の実施例と同じである。反射偏光子２２及び４分の１波長板２４は、光ファイバが反射体を通り抜ける反射体１６の出力開口の向こう側の光ファイバ１４の出力端に配置されている。図５では、反射体１６の出力開口の上方にわずかに延びるファイバ１４を示しているが、ファイバ１４を反射体１６の出力開口の向こう側に大きく延ばすことも可能であり、反射偏光子２２及び４分の１波長板２４を、発光素子１２及び反射体１６に対して遠くに配置できる。反射偏光子２２を使うことで、ファイバ１４の所望の偏光をこの偏光子を通して伝送させてファイバから放出させ、他の偏光をＬＥＤ１２に向けてファイバに沿って反射させることができる。反射光はＬＥＤ１２に当たり、その大部分は、ＬＥＤの下方の反射層１１ａ及び／又はＬＥＤの粗面によって、様々な偏光でファイバ１４の中に向けて反射又は散乱する。反射光のいくつかは所望の偏光を有しており、反射偏光子２２を通して伝送され、他の反射光が反射する。反射のプロセスは何度も起きる。出力効率をさらに高めるために、４分の１波長板２４を偏光子２２の前に設置し得る。ファイバ１４によって出力する偏光は、表示装置のＬＣＤ及びＬＣｏＳのイルミネーションといった様々な適用例で有用である。
【００２４】
図２ａ乃至５に示す実施例では、発光素子１２の一例としてＬＥＤを使用する。図６は、本発明の別の実施例を示しており、発光素子は第１の波長の励起光を吸収し第１の波長よりも長い第２の波長の変換光を放出し得る波長変換材料１２’である。波長変換材料１２’は、例えば、蛍光体材料又は量子ドットといったナノ材料とすることができる。波長変換材料１２’が配置される基板１１’は、好適には、励起光を伝送し変換光を反射する波長変換材料１２’の下方の干渉フィルタを有している。例えば、基板１１’は、板全体に又は波長変換材料１２’の下方の部分に誘電コーティングを有する透明板とすることができる。励起光３２が、反射体１６に対向する基板１１’の側から波長変換材料１２’に導入される。励起光３２を、光ファイバ又は光結合で、又は（図６に図示しない）ＬＥＤといった励起光の光源から直接的に送出することができる。ファイバ１４及び波長変換材料１２’は、直接接触させることができ、又は屈折率整合ゲル又は空気で満たされる隙間を間に空けることができる。図６の実施例の他の部分は、図２ａのそれと構造及び機能が同じであり、それらの詳細な説明はここでは省略する。
【００２５】
本発明の精神又は範囲を逸脱せずに、当業者は本発明の光源及び光源のための光結合器に様々な改良及び変更を行うことができることに留意されたい。このため、本発明は、添付の特許請求の範囲及びそれらに相当するものの範囲に入る改良及び変更をカバーすることを意図するものである。
【図１】
0005570986.tif 000002
【図２ａ】
0005570986.tif 000003
【図２ｂ】
0005570986.tif 000004
【図３】
0005570986.tif 000005
【図４】
0005570986.tif 000006
【図５】
0005570986.tif 000007
【図６】
0005570986.tif 000008